【手続補正書】
【提出日】平成15年3月25日(2003.3.25)
【手続補正１】
【補正対象書類名】明細書
【補正対象項目名】特許請求の範囲
【補正方法】変更
【補正の内容】
【特許請求の範囲】
【請求項１】
電気泳動又は誘電泳動によって生体材料を検出するか又は精製するための方法であって、以下の工程：
ａ）  異なる種を含有する生体材料を提供する工程；
ｂ）  部分Ａと部分Ｂとを有するバイオプローブであって、その部分Ａが少なくとも１つの前記種に特異的に結合し、その部分Ｂが前記バイオプローブの特異的結合により標識される１つ又はそれを超える種の電気特性及び／又は誘電特性を変化させ、そのようにして前記標識された種の電気泳動及び／又は誘電泳動による検出及び／又は精製を可能にするか又は改善するバイオプローブを加える工程；
ｃ）  １つ又はそれを超える生体種と特異的結合バイオプローブとの前記複合体又は複合体群を電気泳動又は誘電泳動によって検出するか又は精製するための電場を形成する工程；
を含んでなる方法。
【請求項２】
生体材料に特異的に結合するバイオプローブを電気泳動又は誘電泳動により検出するか又は精製する方法であって、以下の工程：
ａ）  少なくとも１つの種を含有する生体材料を提供する工程；
ｂ）  バイオプローブ又は様々なバイオプローブであって、各々の場合に、少なくとも１つの前記種に特異的に結合する部分Ａと、バイオプローブの結合により標識された１つ又はそれを超える種の電気的及び／又は誘電特性を変化させ、そのようにして１つ又はそれを超える生体種とバイオプローブとのこのやり方で形成する複合体の検出及び／又は精製を可能にする部分Ｂとを含んでなるバイオプローブ又は様々なバイオプローブを加える（それら様々なバイオプローブが異なる結合特異性を有し、且つ加えられたそれらバイオプローブの少なくとも１つが前記生体材料に結合することを伴う）工程；
ｃ）  １つ又はそれを超える生体種と特異的結合バイオプローブとの前記複合体又は複合体群を電気泳動又は誘電泳動により検出するか又は精製するための電場を形成する工程；
を含んでなる方法。
【請求項３】
前記バイオプローブの部分Ａは、タンパク質、好ましくは抗体若しくはペプチド、無機化合物、炭水化物、核酸、脂質、又は生体材料に特異的に結合する他の有機化合物であるか、或いは前記群の少なくとも１つを含んでなる、請求項１又は２に記載の方法。
【請求項４】
前記バイオプローブの部分Ｂは、核酸；電気的に荷電されたペプチド；ポリ第４級アミン；有機酸；有機塩基；無機物質；脂質；脂肪酸；又は、ワックス、オイル、及びステロール類からなるファミリーからの化合物であるか、或いは前記群の少なくとも１つを含んでなる、請求項３に記載の方法。
【請求項５】
前記バイオプローブの部分Ａは、ペプチド又はタンパク質であり、前記バイオプローブの部分Ｂは、前記ペプチド又はタンパク質についてコードしており且つ前記ペプチド又はタンパク質と共有結合させた核酸であり、前記ペプチド又はタンパク質は、前記核酸に好ましくはピューロマイシン分子を介して共有結合している、請求項１又は２に記載の方法。
【請求項６】
前記核酸は、１本鎖RNA若しくは２本鎖RNA、又は１本鎖DNA若しくは２本鎖DNA、或いはRNA/DNAヘテロ２重鎖である、請求項３〜５のいずれか１項に記載の方法。
【請求項７】
前記バイオプローブの部分Ａであるか又は前記部分に含まれている特異的結合ペプチドは、サッカロミセス  セレビシエからのSte2pレセプター、TSH、FSH、EGF、TNF、トランスフェリン、インシュリン、FGF、TGFβ、IGF、アギオテンシンII、及びソマトスタチンレセプターからなる群からのレセプターに結合するリガンドである、請求項３〜６のいずれか１項に記載の方法。
【請求項８】
前記生体材料は、組織、細胞、細胞小器官、ウイルス、タンパク質、ペプチド、核酸、炭水化物、脂質、若しくは他の有機化合物であるか、又は前記群の少なくとも１つを含んでなる、請求項１〜７のいずれか１項に記載の方法。
【請求項９】
前記電気泳動法は、フリーフロー電気泳動である、請求項１〜８のいずれか１項に記載の方法。
【請求項１０】
前記電気泳動又は誘電泳動法は、バイオチップを使用して行われる、請求項１又は２に記載の方法。
【請求項１１】
前記バイオプローブの助けで特異的に標識された前記材料が、追加的に異なる様式で特異的に標識される、請求項１〜１０のいずれか１項に記載の方法。
【請求項１２】
前記追加的標識が、色標識、蛍光標識、又は放射性標識である、請求項１１に記載の方法。
【請求項１３】
以下に表される分子バイオプローブ：レセプターに特異的に結合するタンパク質部分を有し、且つ直接的に又は介在連結部分を介して核酸に共有結合しており、該核酸が好ましくは５個を超えるヌクレオチドを含んでなり、該分子の前記タンパク質部分が、サッカロミセス  セレビシエからのSte2pレセプター、TSH、FSH、EGF、TNF、トランスフェリン、インシュリン、FGF、TGFβ、IGF、アギオテンシンII、及びソマトスタチンレセプターからなる群からのレセプターのためのリガンドを含んでなる。
【請求項１４】
前記核酸は、前記タンパク質部分についての遺伝子情報をを含んでなる、請求項１３に記載のバイオプローブ。
【請求項１５】
前記核酸は、１本鎖RNA、２本鎖RNA、１本鎖DNA、２本鎖DNA、又はDNA/RNAヘテロ２重鎖である、請求項１３又は１４に記載のバイオプローブ。
【請求項１６】
以下に表される分子バイオプローブ：生体材料に特異的に結合するタンパク質部分を含んでなり、且つ直接的に又は介在連結部分を介して脂質分子に共有結合しており、そして、組織、細胞、細胞小器官、ウイルス、タンパク質、ペプチド、核酸、炭水化物、脂質、又は他の有機化合物であるか、或いは前記群の少なくとも１つを含んでなる。
【請求項１７】
以下に表される分子バイオプローブ：生体材料に特異的に結合するタンパク質部分を含んでなり、且つ直接的に又は介在連結部分を介してポリ第４級アンモニウム化合物に共有結合しており、そして、組織、細胞、細胞小器官、ウイルス、タンパク質、ペプチド、核酸、炭水化物、脂質、又は他の有機化合物であるか、或いは前記群の少なくとも１つを含んでなる。
【請求項１８】
前記タンパク質部分は、サッカロミセス  セレビシエからのSte2pレセプター、TSH、FSH、EGF、TNF、トランスフェリン、インシュリン、FGF、TGFβ、IGF、アギオテンシンII、及びソマトスタチンレセプターからなる群からのレセプターに関するリガンドを含んでなる分子である、請求項１６又は１７に記載のバイオプローブ。
【請求項１９】
前記介在連結部分がピューロマイシ分子を含んでなる、請求項１３〜１８のいずれか１項に記載のバイオプローブ。
【請求項２０】
生体材料と、請求項１３〜１９のいずれか１項に記載されるような前記材料に特異的に結合するバイオプローブとの複合体であって、該生体材料が、組織、細胞、細胞小器官、ウイルス、タンパク質、ペプチド、核酸、炭水化物、脂質、又は他の有機化合物であるか、或いは前記群の少なくとも１つを含んでなる複合体。
【手続補正２】
【補正対象書類名】明細書
【補正対象項目名】００１７
【補正方法】変更
【補正の内容】
【００１７】
提供された生体材料に特異的に結合するバイオプローブを同定し且つ単離する目的のため、本発明の方法は、下記の工程：
ａ）  少なくとも１つの種を含有する生体材料を提供する工程；
ｂ）  バイオプローブ又は様々なバイオプローブであって、各々の場合に少なくとも１つの前記種に特異的に結合する部分Ａと、バイオプローブの結合により標識された１つ又はそれを超える種の電気的及び／又は誘電特性を変化させ、１つ又はそれを超える生体種とバイオプローブとのこのやり方で形成する複合体の検出及び／又は精製を可能にする部分Ｂとを含んでなるバイオプローブ又は様々なバイオプローブを加える（それら様々なバイオプローブは異なる結合特異性を有するものであり、且つ加えられた少なくとも１つのバイオプローブが前記生体材料に結合するものであることを伴う）工程；
ｃ）  電気泳動又は誘電泳動によって、１つ又はそれを超える生体種と特異的結合バイオプローブとの前記複合体又は複合体群を検出するか又は精製するための電場を形成すること；
を特に含んでなる。